(57)【要約】【課題】除湿運転時の冷媒通過音を低減する。【解決手段】電磁コイル２により弁体４を弁座部６ａに対して接離させることにより弁の開閉を行う電磁弁である。弁体４にはその冷媒流入側に孔４４とこの孔４４に連通する通路４３ｃ，４３ｂが設けられると共に、孔４４の流入側に気泡を細分化する第１の多孔質部材５１が設けられ、且つ、通路４３ｃ内に気泡を細分化する第２の多孔質部材５２が設けられ、更に、冷媒流出側の下流側に気泡を細分化する第３の多孔質部材５３が配置され、第１乃至第３の多孔質部材５１，５２．５３はいずれも均一径の筒状体又は柱状体から構成されている。また、各孔質部材は３．０９４ｇ／ｃｍ３の密度とする。【選択図】図１
2005024161.tif 000002
【特許請求の範囲】
【請求項１】
電磁コイルにより弁体を弁座部に対して接離させることにより弁の開閉を行う電磁弁において、上記弁体にはその冷媒流入側に孔とこの孔に連通する通路が設けられると共に、前記孔の流入側に気泡を細分化する第１の部材が設けられ、且つ、前記通路内に気泡を細分化する第２の部材が設けられ、更に、前記通路の冷媒流出側には、細分化された気泡の状態を保持させる流路が形成されると共に、該流路の下流側に気泡を細分化する第３の部材が配置され、上記第１乃至第３の部材はいずれも均一径の筒状体又は柱状体から構成されていることを特徴とする電磁弁。
【請求項２】
第１乃至第３の各部材は、共に多孔質部材から構成され、該多孔質部材は略３ｇ／ｃｍ３、好ましくは３．０９４ｇ／ｃｍ３の密度とすることを特徴とする請求項１記載の電磁弁。
【請求項３】
上記各多孔質部材が、発泡金属、多孔質プラスチック、金属の糸を編んだメッシュ、又は、複数の孔を穿設した金属板からなることを特徴とする請求項２記載の電磁弁。
【請求項４】
上記多孔質部材に対して、冷媒の流入部又は／及び流出部が多孔質部材の当該面の略全面となるように構成したことを特徴とする請求項２又は請求項３記載の電磁弁。
【請求項５】
上記多孔質部材の冷媒の流入面から流出面までの流路を長くしたことを特徴とする請求項２乃至請求項４記載のいずれかの電磁弁。
【発明の詳細な説明】
【０００１】
【発明の属する技術分野】
本発明は、空気調和機等に使用する電磁弁に関する。
【０００２】
【従来の技術】
従来、弁本体に設けたプランジャチューブの周囲にソレノイドコイルを設け、プランジャチューブ内において弁本体側に可動吸引子、他側にプランジャを設け可動吸引子とプランジャ間に開弁ばねで付勢された状態で、プランジャと弁体をカシメにより結合して収納した通電時閉型電磁弁が知られている。
【０００３】
かかる従来の電磁弁を冷凍サイクルで除湿運転を行う空気調和機に用いた場合に、除湿運転の絞りとして弁体に孔を設けることが行なわれる。しかしながら、弁体に孔を設けた場合には、絞り作用に伴ない冷媒流動音が発生する場合があり、発生した場合には騒音となるという問題点があった。
【０００４】
そこで、この騒音を低減する技術が下記の特許文献１に開示されている。この特許文献１には、除湿モードを有する空気調和機で除湿用絞り弁として使用される絞り装置として、絞り通路における冷媒通過音を低減し、長期間の使用においても除湿運転性能を維持できる絞り装置が示されている。しかしながら、この装置においても冷媒通過音の低減について期待される効果をあげていないのが現状である。
【０００５】
【特許文献１】特開２００２−３１０５４０号公報
【０００６】
【発明が解決しようとする課題】
そこで、本発明者らは、上記従来技術を考慮しつつ、更に冷媒通過音の低減を目的として技術の開発をおこなったもので、本発明は、弁体に気泡を細分化する部材を一体に組付けると共に、細分化された気泡が再び大きく成長しないようにして、冷媒流動音を一層低減し、騒音の発生を抑制した電磁弁を提供することを目的とする。また、本発明は、気泡を細分化する部材を高密度の多孔質部材により構成させることで、更に冷媒流動音を低減できる電磁弁を提供することを目的とする。
また、本発明は、上記多孔質部材内の冷媒の流路を長くすることで、更に冷媒流動音を低減できる電磁弁を提供することを目的とする。
【０００７】
【課題を解決するための手段】
上記目的を達成するために、本発明に係る電磁弁は下記の手段を講じた。即ち、
請求項１記載の電磁弁は、電磁コイルにより弁体を弁座部に対して接離させることにより弁の開閉を行う電磁弁において、上記弁体にはその冷媒流入側に孔とこの孔に連通する通路が設けられると共に、前記孔の流入側に気泡を細分化する第１の部材が設けられ、且つ、前記通路内に気泡を細分化する第２の部材が設けられ、更に、前記通路の冷媒流出側には、細分化された気泡の状態を保持させる流路が形成されると共に、該流路の下流側に気泡を細分化する第３の部材が配置され、上記第１乃至第３の部材はいずれも均一径の筒状体又は柱状体から構成されていることを特徴とする。
【０００８】
かかる特徴により、気泡を細分化する部材により冷媒中の気泡を細分化でき、しかも、細分化された気泡の状態を保持させる流路が形成されているので、冷媒流動音を抑制し、騒音の発生を防止できる電磁弁を実現できる。また、細分化された気泡の状態を保持させたまま、冷媒の流速を下げることで、一層の冷媒流動音の抑制を図る。上記第１乃至第３の部材はいずれも均一径の筒状体から構成されていることで、第１乃至第３の部材の製造・メンテナンスが容易になる。
【０００９】
請求項２記載の電磁弁は、請求項１記載の電磁弁において、第１乃至第３の各部材は、共に多孔質部材から構成され、該多孔質部材は略３ｇ／ｃｍ３、好ましくは３．０９４ｇ／ｃｍ３の密度とすることを特徴とする。
請求項３記載の電磁弁は、請求項２記載の電磁弁において、上記各多孔質部材が、発泡金属、多孔質プラスチック、金属の糸を編んだメッシュ、又は、複数の孔を穿設した金属板からなることを特徴とする。
かかる請求項２及び請求項３の特徴により、騒音の発生が一層抑制される。
【００１０】
請求項４記載の電磁弁は、請求項２又は請求項３記載の電磁弁において、上記多孔質部材に対して、冷媒の流入部又は／及び流出部が多孔質部材の当該面の略全面となるように構成したことを特徴とする。
請求項５記載の電磁弁は、請求項２乃至請求項４記載のいずれかの電磁弁において、上記多孔質部材の冷媒の流入面から流出面までの流路を長くしたことを特徴とする。
【００１１】
かかる請求項４及び請求項５の特徴により、冷媒の多孔質部材内での通過幅が広くなり、耐久性やろ過・消音効果が大きくなる。
【００１２】
【発明の実施の形態】
以下、本発明の実施の形態を図面に基づいて詳細に説明する。
【実施形態１】
先ず、実施形態１について、図１乃至図４に従って説明する。図１はその電磁弁の開状態の縦断面図、図２はその弁部の拡大図、図３は図２の弁部の分解断面図で、図３に記載の矢印は、各構成要素の組付け方向を示す。また、図４は閉状態の縦断面図である。なお、下記の説明において、図面との関係で上下左右の表現を用いるが、実際の位置関係はこれに限るものではない。また、各図中、矢印は冷媒の流れ方向を示している。
【００１３】
本発明の電磁弁は、図１に示すように、弁本体１の内部に弁室１０を有すると共に、弁本体１の上部には吸引子３の係止部３ａを介して、一端を閉塞したパイプ部３ｂが装着されており、上記パイプ部３ｂの外周には電磁コイル２が装備され、パイプ部３ｂの内部には、吸引子３に対してパイプ部３ｂの長手方向に摺動自在に棒状の弁体４が設けられている。また、この電磁弁は、パイプ部３ｂ内に、弁体４に連結されたプランジャ５と、弁本体１の下部開口端に設けた弁シート６と、吸引子３とプランジャ５との間に配設されたコイルスプリング７と、を備えている。なお、コイルスプリング７は、弁体４を弁シート６と反対方向の開弁方向に向って付勢する開弁用付勢手段である。
【００１４】
上記パイプ部３ｂの外側には、図１に示すように、ボビン２ａが嵌合装着され、ボビン２ａの周囲には電磁コイル２が巻回され、ボビン２ａはコイルケース８の内部に収容されている。上記ボビン２ａには、図１に示すように、リード線２ｃが接続され、電磁コイル２はリード線２ｃを介して通電される。
【００１５】
更に、コイルケース８の互いに対向する水平な上壁８ａ及び下壁８ｂには垂直な同一中心軸線上に沿って貫通孔８ｃ及び貫通孔８ｄがそれぞれ設けられ、パイプ部３ｂが挿通されている。また、コイルケース８の上壁８ａの上部には、図１に示すように、板金製の押圧係止部材９が配設され、該押圧係止部材９の一端には上方に向って直角に折曲した立上り部が形成され、該立上り部に上記パイプ部３ｂの係止凹部３ｄに係合する突起９ａが形成されている。また、コイルケース８の上壁８ａは、図１に示すように、リベット２ｂを介して押圧係止部材９に支持されている。
【００１６】
また、弁本体１のパイプ部３ｂの上端寄りの内部には、図１に示すように、円筒状のプランジャ５が移動自在に配設され、プランジャ５の端壁には垂直な中心軸線上に沿って弁体４の小径部４６を固定するための固定用孔５ａが設けられている。なお、符号５ｂは均圧孔である。該固定用孔５ａには、図１に示すように、下方より弁体４の小径部４６が嵌入され、弁体４の小径部４６の先端にカシメ止め加工を施すことにより、プランジャ５は弁体４の小径部４６に連結されている。上記弁体４の外側には、図１に示すように、吸引子３とプランジャ５との間に開弁用のコイルスプリング７が配設され、プランジャ５はコイルスプリング７の付勢力により吸引子３と離間する方向に常時付勢されている。
【００１７】
弁シート６には、図１に示すように、弁本体１の弁室１０の内部に臨んで弁体４の離接する弁座部６ａが形成され、弁シート６は弁本体１に溶接・固着されている。なお、弁本体１と弁シート６はステンレススチールよりなり、弁本体１及び弁シート６はプレス加工により成形されている。
【００１８】
上記パイプ部３ｂの外周には、図１に示すように、電磁コイル２を収容するコイルケース８が装備され、コイルケース８に固定された押圧係止部材９が弁本体１のパイプ部３ｂに形成した係止凹部３ｄに係止され、コイルケース８が押圧係止部材９を介して弁本体１のパイプ部３ｂに固定されている。
【００１９】
弁本体１を構成する円筒状の周壁１ａの内部には、図１に示すように、弁室１０が形成され、上記周壁１ａには垂直な弁体４に沿った中心軸線と直交する方向にパイプ嵌合孔１ｂが設けられ、入口側パイプ１ｃが溶着されている。
また、上記周壁１ａの下端は、弁シート６が装着される。該弁シート６は、パイプ状の弁座部６ａと、該弁座部６ａの下部に形成されたパイプ嵌合部６ｂと、該パイプ嵌合部６ｂの外周部に形成されたフランジ６ｃと、からなり、該フランジ６ｃの外周部に周壁１ａが溶着される。
【００２０】
また、上記周壁１ａの上端には吸引子３が装着される。該吸引子３はその下部に段部３ｃが形成され、該段部３ｃの下部には弁本体１の周壁１ａの上端が装着されている。また、前記吸引子３の上部外周に形成されている係止部３ａにはパイプ部３ｂの下部が装着されている。また、このパイプ部３ｂの上端は閉塞されている。
【００２１】
更に、上記弁シート６下部に形成されたパイプ嵌合部６ｂには出口側パイプ１ｄが溶着され、また、パイプ部３ｂの外周面には係止凹部３ｄが形成されている。また、上記吸引子３の下部には下部の弁室１０に連通する凹部が形成されて上部弁室１１を構成している。
【００２２】
吸引子３には、図１に示すように、これを貫通する例えば真鍮製の棒状の弁体４がパイプ部３ｂの長手方向に沿って摺動自在に設けられ、弁体４の下端部には弁シート６の弁座部６ａに離接する弁部４０が形成され、弁体４の上端部には小径部４６が形成されている。この小径部４６がプランジャ５下部の固定用孔５ａに嵌合・固定されることになる。
【００２３】
弁部４０には、図２又は図３に示すように、その上方の弁棒部分より径大に形成され、その段部となる肩部４１が形成されると共にこれを介して円筒状の側壁部４２が形成され、また、該側壁部４２の内部には冷媒の通路となる径大孔４３ｂ及び該径大孔４３ｂに連通する径小孔４３ｃが形成される。
【００２４】
そして、該径小孔４３ｃに連通して横断面積が小さい孔、即ち、ブリード孔４４が横方向（したがって、径小孔４３ｃの軸線方向と直角方向）に形成される。前記ブリード孔４４は両端部に入口側径大部４４ａが形成され、該入口側径大部４４ａを介して上部弁室１１に開口している（図１の開弁状態参照）。但し、図４に示す閉弁状態においては、弁室１０で開口する。また、径大孔４３ｂには後述の案内部材６０が嵌合される。なお、前記入口側径大部４４ａは、その下方に径大延設部４４ｆが形成される。
【００２５】
上記弁部４０の肩部４１の上部でブリード孔４４の開口に臨ませて冷媒中の気泡を細分化する部材として第１の多孔質部材５１が保持される。この第１の多孔質部材５１は、上下に所定長さで均一径の円筒状物からなり、肩部４１の上部に載置され、上記側壁部４２の外周部に、図３に示すように、嵌合され支持される。なお、多孔質部材５１とブリード孔４４との間には、上下幅の大きい隙間（径大延設部４４ｆ）が形成されていることから、多孔質部材５１内での冷媒の流路範囲が広がり、気泡の細粒化が促進される。
【００２６】
また、上記径小孔４３ｃ内には、図２及び図３に示すように、気泡を細分化する第２の部材として円柱状の多孔質部材５２が配置される。そして、この多孔質部材５２の下部（下流側）には、後述の小気泡保持流路Ｄが設けられ、この小気泡保持流路Ｄの下部（下流側）に、後述のフランジ部６３を介して第３の多孔質部材５３が矢印のように配置される。
【００２７】
即ち、図２及び図３に示すように、気泡を細分化する第３の部材として円柱状の多孔質部材５３が径大孔４３ｂ内に後述の案内部材６０の円筒部６３ａを介して矢印のように配置されている。この多孔質部材５３は円筒部６３ａの下端にカシメられて（カシメ部６５）支持されている。
【００２８】
上記各多孔質部材５１，５２，５３は、例えば、アキュームメッシュ（商品名．東亜鉄鋼株式会社製）を用いた場合は、略３ｇ／ｃｍ３、好ましくは３．０９４ｇ／ｃｍ３の密度で構成されている。本発明者らが試験を行った結果、その密度が上記のように、３．０９４ｇ／ｃｍ３程度の場合が、冷媒の流動抵抗が増大せず消音効果が充分得られることがわかったからである。
その他、このような密度の条件を満たせば、プラスチックやステンレス、真鍮等の金属の糸を編んでメッシュ状に所定の厚さに成形した金網部材或いは発泡金属を用いてもよい。なお、これらの多孔質部材の素材は後述の実施形態２においても同様である。
【００２９】
上記のように、弁部４０における径大孔４３ｂ内には、細分化気泡の状態を保持させるための小気泡保持流路Ｄが、図１乃至図３に示すように、案内環部材４７及び案内部材６０によって形成される。上記案内環部材４７は所定厚みの環状部材からなり、その内面は下方程狭くなる漏斗状の入口側傾斜部４７ａ、該入口側傾斜部４７ａに連続する均一内径の均一径部４７ｂ、及び、下方程拡くなる逆漏斗状の出口側傾斜部４７ｃと、が上方から下方に順次形成されている。また、この案内環部材４７は図１に示すように、下方から案内部材６０（後述）によって支持される。
【００３０】
また、上記案内部材６０は、円盤状のフランジ部６３と、該フランジ部６３の軸心位置に立設された柱状部６１と、該フランジ部６３の外周部から下垂状態で一体に形成される円筒部６３ａとからなる。本実施形態では、円盤状のフランジ部６３と該フランジ部６３の外周部から下垂状態で一体に形成される円筒部６３ａとは、倒立したカップ状となっている。そして、上記フランジ部６３には、図２及び図３に示すように、通孔６４が柱状部６１の周縁部に複数個、例えば４個形成されており、弁部４０内の冷媒はこの通孔６４から多孔質部材５３を通じて、出口側パイプ１ｄに直接流出することになる。なお、符号６５は円筒部６３ａの下端を側壁部４２によりカシメ固定したカシメ部である。また、前記案内部材６０に配置される柱状部６１は、上面が半球状の円柱体からなり、上記均一径部４７ｂの内面とは隙間（オリフィス）を形成させるために、僅かに小さい径として形成されている。
【００３１】
したがって、上記案内環部材４７と案内部材６０との間にインデューサ部（前記下方程狭くなる漏斗状の入口側傾斜部４７ａと柱状部６１の間）、均一流路面積のオリフィス部（前記均一内径の均一径部４７ｂと柱状部６１の間）、及び、ディフューザ部（前記下方程拡くなる逆漏斗状の出口側傾斜部４７ｃと柱状部６１の間）が連続空間として形成されることになる。
【００３２】
そして、これらの間を流動する冷媒は、そのエネルギが比較的緩やかに速度エネルギに変換され、急激な収縮・膨張が行われないことから、冷媒内に気泡が含まれている場合にも、気泡の急激な成長（膨張）は発生しない。即ち、冷媒中に細分化された気泡があっても、大きく成長させないことから、これらの部分を本発明では、「小気泡保持流路Ｄ」と称する。
【００３３】
次に、本発明の実施形態１の作用について説明する。
先ず、除湿運転について説明する。この電磁弁は、電磁コイル２に通電すると、吸引子３に電磁コイル２の通電により磁力が発生し、吸引子３がプランジャ５を下方に向って吸引し、プランジャ５が弁本体１のパイプ部３ｂの内部を吸引子３の吸引によりコイルスプリング７の付勢力に抗しながら下方に向って移動すると同時に、弁体４が吸引子３に案内されながらプランジャ５と共に弁シート６の弁座部６ａに向って下方に移動し、図４に示すように、弁体４の弁部４０が弁シート６の弁座部６ａに密接し、電磁弁は閉弁状態となる。
【００３４】
かかる閉弁状態において、入口側パイプ１ｃと、出口側パイプ１ｄとは、弁室１０、上部弁室１１、入口側径大部４４ａ、ブリード孔４４、径小孔４３ｃ、及び径大孔４３ｂを介して連通する。そこで、所定冷凍サイクルの除湿運転時において、冷媒を入口側パイプ１ｃから流すと、弁体４にはブリード孔４４が設けてあるので、絞り作用を受ける上記冷媒は分散され、冷媒の流量及び運動エネルギーが小さくなり、冷媒の流動音は低減される。しかも、絞り作用を受けて径小孔４３ｃから出口側パイプ１ｄに流出する冷媒に気泡が発生しても、冷媒は気泡を細分化する部材として第１乃至第３の多孔質部材５１，５２，５３を通過する際に、冷媒中の気泡は細分化され、気泡による冷媒の流動音が低減される。
【００３５】
更に、本発明は前記小気泡保持流路Ｄが設けられ、細分化後の冷媒を通過させることから、細分化された気泡は、再び気泡が成長して大きくなることなく、第３多孔質部材５３を通過する。このとき、更に冷媒中の気泡は細分化され、気泡による冷媒の流動音が低減される。そして、冷媒は出口側パイプ１ｄに流出して、上記冷凍サイクルにおいて除湿を行う。
【００３６】
また、電磁コイル２への通電を遮断すると、吸引子３に磁力が発生せず、吸引子３は吸引力を失い、プランジャ５が弁本体１のパイプ部３ｂの内部をコイルスプリング７の付勢力により吸引子３と反対方向の上方に向って移動すると同時に、弁体４が吸引子３に案内されながらプランジャ５と共に上方に向って移動し、図１に示すように、弁部４０が弁シート６の弁座部６ａから離間し、電磁弁は開弁状態となって、流体が入口側パイプ１ｃから弁室１０及び弁シート６の内部を通って出口側パイプ１ｄへと流出する。
【００３７】
【実施形態２】
次に、実施形態２について説明する。図５は実施形態２に係る電磁弁の開状態の縦断面図、図６はその弁部の拡大図、図７は図６の弁部の分解断面図で、図７に記載の矢印は、各構成要素の組付け方向を示す。また、図８は同電磁弁の閉状態の縦断面図である。なお、実施形態２においては、実施形態１とは多孔質部材５３を設ける位置が異なるが、他の構成は同一であるので、図１と同一部分には同一の符号を付して説明を省略する。
図５乃至図８に示す実施形態２は、図１乃至図４に示す実施形態１において、フランジ部６３の位置を第３多孔質部材５３の底部（下流側）に配置したもので、小気泡保持流路Ｄにおける案内部材６０’を構成し、柱状部６１の下部外周と案内環部４７’に一体に形成された下部延出筒部４７ｇ（図７参照）との間の位置に多孔質部材５３に設けた場合で、フランジ部６３’は多孔質部材５３の下流側に配置されている。なお、実施形態２においては、フランジ部６３’に実施形態１のように円筒部６３ａは設けられておらず、第３多孔質部材５３の外周部は上記下部延出筒部４７ｇにより支持させている。そして、この場合においても、冷媒流動音を低減させることができる。
【００３８】
かかる電磁弁においても、実施形態１と同じく電磁コイル２に通電すると図８に示す如く電磁弁は閉弁操作となる。かかる閉弁状態において、入口側パイプ１ｃと出口側パイプ１ｄとは、弁室１０、上部弁室１１、ブリード孔４４、径小孔４３ｃ及び径大孔４３ｂを介して連通する。
そこで、所定冷凍サイクルの除湿運転時において、冷媒を入口側パイプ１ｃから流すと冷媒中の大きな気泡は、第１の多孔質部材５１及び第２の多孔質部材５２を通過する際に細分化され、その細分化された状態で小気泡保持流路Ｄに流入し、更に、第３の多孔質部材５３を通過して、気泡が細分化された状態のまま通孔６４を介して出口側パイプ１ｄに流出する。
【００３９】
即ち、冷媒は弁部４０’内のブリード孔４４等により分散され、しかも冷媒中の気泡は細分化されているので冷媒の流動音は低減される。そして冷媒は径大孔４３ｂ内の多孔質部材５３を通過する際に更に細分化され、出口側パイプ１ｄに流出するので、気泡による冷媒流動音は低減される。
【００４０】
なお、実施形態２において、多孔質部材５３として実施形態１と同様に発泡金属、多孔質プラスチック又はアキュームメッシュ等を用いることができるのは勿論である。さらには、真鍮、ステンレス材等の金属板に所定数の貫通穴を形成したものを用いることができる。
【００４１】
かかる構成の実施形態２によれば、実施形態１と同様の作用効果が得られる。
【００４２】
【発明の効果】
本発明によれば、冷媒中の気泡を細分化する密度の多孔質部材を弁体に設けたことにより、冷媒の流動音を低減し、騒音を抑制することができる。
【図面の簡単な説明】
【図１】実施形態１に係る電磁弁の開状態の縦断面図。
【図２】図１の電磁弁の弁部の拡大図。
【図３】図２の弁部の分解断面図。
【図４】実施形態１に係る電磁弁の閉状態の縦断面図。
【図５】実施形態２に係る電磁弁の開状態の縦断面図。
【図６】図５の電磁弁の弁部の拡大図。
【図７】図６の弁部の分解断面図。
【図８】実施形態２に係る電磁弁の閉状態の縦断面図。
【符号の説明】
Ｄ・・（細分化気泡の状態の）小気泡保持流路
１・・弁本体            １ａ・・周壁        １ｂ・・パイプ嵌合孔
１ｃ・・入口側パイプ    １ｄ・・出口側パイプ
２・・電磁コイル  ２ａ・・ボビン  ２ｂ・・リベット    ２ｃ・・リード線
３・・吸引子      ３ａ・・係止部      ３ｂ・・パイプ部
３ｃ・・段部      ３ｄ・・係止凹部    ４・・弁体
５・・プランジャ  ５ａ・・固定用孔    ５ｂ・・均圧孔
６・・弁シート  ６ａ・・弁座部  ６ｂ・・パイプ嵌合部  ６ｃ・・フランジ
７・・コイルスプリング
８・・コイルケース        ８ａ・・上壁          ８ｂ・・下壁
８ｃ・・貫通孔            ８ｄ・・貫通孔
９・・押圧係止部材        ９ａ・・突起
１０・・弁室              １１・・上部弁室
４０，４０’・・弁部      ４１・・肩部
４２・・側壁部            ４２ａ・・カシメ部
４３ｂ・・径大孔（通路）  ４３ｃ・・径小孔（通路）
４４・・ブリード孔（孔）  ４４ａ・・入口側径大部    ４４ｆ・・径大延設部
４６・・小径部  ４７，４７’・・案内環部材      ４７ａ・・入口側傾斜部
４７ｂ・・均一径部    ４７ｃ・・出口側傾斜部    ４７ｄ・・出口側径大部
４７ｆ・・入口側径大部      ４７ｇ・・下部延出筒部
５１・・多孔質部材（第１の部材）
５２・・多孔質部材（第２の部材）    ５３・・多孔質部材（第３の部材）
６０，６０’・・案内部材    ６１・・柱状部      ６３，６３’・・フランジ
部      ６３ａ・・円筒部            ６４・・通孔        ６５・・カシメ部
【図１】
2005024161.tif 000003
【図２】
2005024161.tif 000004
【図３】
2005024161.tif 000005
【図４】
2005024161.tif 000006
【図５】
2005024161.tif 000007
【図６】
2005024161.tif 000008
【図７】
2005024161.tif 000009
【図８】
2005024161.tif 000010